(57)【特許請求の範囲】
【請求項１】
外装と、この外装内に形成され、前面に開口を有し食品を収納する加熱室と、この加熱室の前面開口を開閉するドアと、前記加熱室の下部に設けた前記食品を載置するための棚と、この棚と前記加熱室の底壁部材との間に設けた回転アンテナ及びシーズヒーターと、マイクロ波を発するマグネトロンと、このマグネトロンで発したマイクロ波を前記回転アンテナで攪拌しつつ前記加熱室内に供給するために、前記マグネトロンと前記加熱室の下部とを接続する導波管と、前記加熱室の右側壁の外側に配置され、この右側壁に形成された小孔を介して食品からの赤外線を受光することにより食品の温度を検知する赤外線センサーと、を備え、
前記シーズヒーターは、前記赤外線センサーが配置された前記加熱室の右側壁に対向する前記加熱室の左側壁を貫通し、外部に端子部を設けたことを特徴とする電子レンジ。
【発明の詳細な説明】
【０００１】
【発明の属する技術分野】
本発明は、電子レンジに関するものである。
【０００２】
【従来の技術】
赤外線センサ−と、シ−ズヒ−タ−を備えた電子レンジにおいて、シ−ズヒ−タ−の端子部は赤外線センサ−側に設けられている。シ−ズヒ−タ−の端子部は、シ−ズヒ−タ−を加熱室の側壁に直接ネジ止め等が難しいため、シ−ズヒ−タ−の端子部から電波漏洩が発生し易い。シ−ズヒ−タ−の端子部から電波漏洩が発生した場合、シ−ズヒ−タ−の端子部を赤外線センサ−側に設けているため、漏洩した電波によって、赤外線センサ−の検知信号にノイズが乗り、検知精度が悪くなる場合がある。
【０００３】
【発明が解決しようとする課題】
本発明は、シ−ズヒ−タ−の端子部より電波漏洩が生じた場合でも、赤外線センサ−の検知信号へのノイズの影響を少なくして、赤外線センサ−の検知精度を向上させた電子レンジを提供する。
【０００４】
【課題を解決するための手段および発明の効果】
本発明に係る電子レンジは、外装と、この外装内に形成され、前面に開口を有し食品を収納する加熱室と、この加熱室の前面開口を開閉するドアと、前記加熱室の下部に設けた前記食品を載置するための棚と、この棚と前記加熱室の底壁部材との間に設けた回転アンテナ及びシーズヒーターと、マイクロ波を発するマグネトロンと、このマグネトロンで発したマイクロ波を前記回転アンテナで攪拌しつつ前記加熱室内に供給するために、前記マグネトロンと前記加熱室の下部とを接続する導波管と、前記加熱室の右側壁の外側に配置され、この右側壁に形成された小孔を介して食品からの赤外線を受光することにより食品の温度を検知する赤外線センサーと、を備え、前記シーズヒーターは、前記赤外線センサーが配置された前記加熱室の右側壁に対向する前記加熱室の左側壁を貫通し、外部に端子部を設けたことを特徴とする。
【０００５】
従って、前記シ−ズヒ−タ−の端子部より電波漏洩があった場合でも、赤外線センサ−までの距離が遠い為、電波漏洩による赤外線センサ−の検知信号へのノイズの影響が少なくなり、赤外線センサ−の検知精度が高まる。
【０００８】
【発明の実施の形態】
本発明の実施形態の電子レンジを、図面を参照して説明する。図１は電子レンジの斜視図、図２は電子レンジのドアが開けられたときの部分的な斜視図、図３は平面断面図、図４は正面断面図、図５はシ−ズヒ−タ−端子部の部分拡大図、図６はシ−ズヒ−タ−端子部の平面断面図、図７は管ヒ−タ−端部の部分拡大断面図、図８は外装を外して右上方から見た電子レンジの斜視図、図９は電子レンジの加熱室上に設定されたＸ軸およびＹ軸を模式的に示す図、図１０は赤外線センサ−の検知信号のグラフである。
【０００９】
図１について説明する。電子レンジ１は、主に、本体２と、ドア３とからなる。本体２は、その外郭を、外装４に覆われている。また、本体２の前面には、ユ−ザが、電子レンジ１に各種の情報を入力するための操作パネル６が備えられている。なお、本体２は、複数の脚８に支持されている。
【００１０】
ドア３は、下端を軸として、開閉可能に構成されている。前記ドア３の上部には、把手３ａが備えられている。
【００１１】
図２に、ドア３が開状態とされたときの電子レンジ１を左前方より見た、電子レンジ１の部分的な斜視図を示す。本体２の内部には、本体枠５が備えられており、本体枠５には、加熱室１０が設けられている。また、加熱室１０の外側から、検出経路部材４０が接続されている。
【００１２】
図３の平面図にて、回転アンテナ１３、シ−ズヒ−タ−１８および赤外線センサ−７を示す。また、図４に、図１のＢ−Ｂ線に沿う矢視断面図を示す。図８では、外装を外して右上方から見た電子レンジの斜視図を示す。
【００１３】
図２、図４、図８を参照して、検出経路部材４０は、箱形状を有している。なお、検出経路部材４０の、当該箱形状の底面には、食品の温度を検出する赤外線センサ−７が取り付けられている。赤外線センサ−７は、赤外線をキヤッチするための検出孔２１が設けられている。そして、検出経路部材４０を構成する箱形状の底面上であって、赤外線センサ−７の検出孔２１に対向する部分には、検出窓１１が形成されている。検出経路部材４０は加熱室１０の一壁である右側壁の一部を形成しており、この検出経路部材４０の底壁に形成されている検出窓１１は本発明の小孔に相当している。
【００１４】
図４において、外装４の内部には、加熱室１０の右下に隣接するように、マグネトロン１２が備えられている。また、加熱室１０の下方には、前記マグネトロン１２と加熱室１０の下部を接続させる導波管１６が備えられている。前記マグネトロン１２は、導波管１６を介して、前記加熱室１０にマイクロ波を供給する。
【００１５】
また、加熱室１０内の下部には、棚９が備えられている。そして、加熱室１０の底壁部材１７と棚９の間には、回転アンテナ１３およびシ−ズヒ−タ−１８が備えられている。前記シ−ズヒ−タ−１８の端子部１８ａは、右側壁に対向する加熱室１０の左側壁（本発明の他壁に相当）を貫通して外部に設けられている。前記シ−ズヒ−タ−１８は、固定金具８および支持金具２０により固定されている。前記導波管１６の下方には、アンテナモ−タ１４が備えられている。回転アンテナ１３とアンテナモ−タ１４とは、軸１３ａで接続されている。そして、前記アンテナモ−タ１４が駆動することにより、回転アンテナ１３が回転する。
【００１６】
加熱室１０内では、前記棚９上に、食品が載置される。前記マグネトロン１２の発したマイクロ波は、前記導波管１６を介し、前記回転アンテナ１３によって攪拌されつつ、加熱室１０内に供給される。これにより、棚９上の食品が加熱される。また、加熱室１０の上部には管ヒ−タ−１９が取り付けられている。
【００１７】
また、加熱室１０の右側上部外には、食品の温度を検知する赤外線センサ−７が取り付けられている。前記シ−ズヒ−タ−１８の端子部１８ａは、加熱室１０の左側面下部に設けられている。従って、前記シ−ズヒ−タ−１８の端子部１８ａより電波漏洩があった場合でも、赤外線センサ−７までの距離が遠い為、電波漏洩による赤外線センサ−７の検知信号へのノイズの影響が少なくなり、赤外線センサ−７の検知精度が高まる。
【００１８】
図５に前記シ−ズヒ−タ−１８の端子部１８ａの部分拡大斜視図を示している。また、図６にＡ部の平面断面図を示している。図５、図６を参照して、シ−ズヒ−タ−１８の端部は、固定金具８をネジ８ａで加熱室１０の左側壁の下部側壁１７ａに締め付けることにより固定されている。
【００１９】
図７に管ヒ−タ−１９のＢ部（図４）の部分拡大図を示す。加熱室１０の天面１０ａの端部をバ−リング加工して、シ−ルパイプ１０ｂを形成し、管ヒ−タ−１９の端部をシ−ルパイプ１０ｂに貫通している。そして、止め金具９ａをネジ９ｂで締め付け管ヒ−タ−１９の端部を固定している。前記シ−ルパイプ１０ｂに管ヒ−タ−１９を通しているので、管ヒ−タ−１９の端部からほとんど電波漏洩することがない。管ヒ−タ−１９の左側端部も同じ構造である。
【００２０】
次に、赤外線センサ−７について以下詳細に説明する。
【００２１】
赤外線センサ−７は、視野を有する。そして、電子レンジ１では、加熱室１０の底面に対して、Ｘ軸及びＹ軸が設定されている。赤外線センサ−７の視野は、このＸ軸及びＹ軸方向に、移動させることができる。ここで、加熱室１０に対して設定されたＸ軸及びＹ軸について説明する。図９に、加熱室１０上に設定されたＸ軸およびＹ軸を模式的に示す。
【００２２】
図９を参照して、加熱室１０には、幅方向にＸ軸が、奥行き方向にＹ軸が、それぞれ設定されている。また、赤外線センサ−７は、視野７０を有し、視野７０内で放出される赤外線をキャツチすることができる。視野７０は、加熱室１０の底面（棚９を含む面）上に、楕円として投影される。なお、図９中の楕円は、Ｘ軸とＹ軸の交点（棚９の中心でもある）を中心とし、Ｘ軸方向に長径を有し、Ｙ軸方向に短径を有する。視野７０は、図９に示す位置を、その基準とする。
【００２３】
さらに、図８を参照して、赤外線センサー７には、Ｘ方向回動部材２２とＹ方向回動部材２４が取り付けられている。また、赤外線センサー７には、Ｘ方向回動モータ２３とＹ方向回動モータ２５とが取り付けられている。Ｘ方向回動部材２２は、Ｘ方向回動モータ２３が駆動することにより、赤外線センサーの視野７０を、Ｘ軸方向に移動させる。また、Ｙ方向回動部材２４は、Ｙ方向回動モータ２５が駆動することにより、赤外線センサーの視野７０を、Ｙ軸方向に移動させる。
【００２４】
これにより、赤外線センサー７は、加熱室１０の底面のほぼ全域を、視野７０の中に含むことができる。図４において、加熱室１０内で視野７０が移動する最大範囲を総視野７００として示している。つまり、特に、図４を参照して、視野７００は、Ｘ軸方向に、検出窓１１を頂点とし、棚９を底辺とし、頂角の角度がθである三角形を描くように移動する。
【００２５】
Ｘ方向回動部材２２には、Ｘ方向回動モ−タ２３の隣に、該Ｘ方向回動モ−タ２３の駆動態様を検出するためのモ−タ駆動スイッチ２３ａが取り付けられている。また、Ｙ方向回動部材２４には、Ｙ方向回動モ−タ２５の隣に、該Ｙ方向回動モ−タ２５の駆動態様を検出するためのモ−タ駆動スイッチ２５ａが取り付けられている。
【００２６】
図１０は、赤外線センサ−７の検知信号を示す。
【００２７】
検知信号にシーズヒーター１８の端子部１８ａからのノイズが乗りにくい場合は、図１０（ａ）の如く検知信号の値がＳになるマイクロ波加熱時間Ｔ１は、一定になる。その場合、例えばマイクロ波加熱を終了する。しかし、シーズヒーター１８の端子部１８ａが赤外線センサー７と同じ右側壁の外側にあると、検知信号にノイズが乗り易く、図１０（ｂ）に示すように検知信号は乱れ、検知信号の値がＳになる時間はＴ２になる。この時間Ｔ２は、この場合前記マイクロ波加熱時間Ｔ１より短くなっているので、食品の加熱が不充分になる。つまり、赤外線センサー７の検知信号にノイズが乗ると、赤外線センサー７の検知精度が悪くなり、マイクロ波加熱時間が安定しなくなる。
【００２８】
【発明の効果】
シ−ズヒ−タ−端子部より電波漏洩があった場合でも、電波漏洩による赤外線センサ−の検知信号へのノイズの影響を少なく出来、赤外線センサ−の検知精度を高めることができる。
【図面の簡単な説明】
【図１】本発明の電子レンジの斜視図である。
【図２】同電子レンジのドアを開けたときの斜視図である。
【図３】同電子レンジの平面断面図である。
【図４】同電子レンジの正面断面図である。
【図５】シ−ズヒ−タ−端子部付近の部分拡大斜視図である。
【図６】図４のＡ部の拡大平面断面図である。
【図７】図４のＢ部の拡大平面断面図である。
【図８】同電子レンジの外装を外して右上方から見た斜視図である。
【図９】赤外線センサ−の検知視野を示す模式図である。
【図１０】赤外線センサ−の検知信号の図である。
【符号の説明】
１          電子レンジ
３          ドア
４          外装
７          赤外線センサ−
９          棚
１０        加熱室
１２        マグネトロン
１３        回転アンテナ
１７        底壁部材
１８        シ−ズヒ−タ−
１９        管ヒ−タ−
【図１】
0003749141.tif 000002
【図２】
0003749141.tif 000003
【図３】
0003749141.tif 000004
【図４】
0003749141.tif 000005
【図５】
0003749141.tif 000006
【図６】
0003749141.tif 000007
【図７】
0003749141.tif 000008
【図８】
0003749141.tif 000009
【図９】
0003749141.tif 000010
【図１０】
0003749141.tif 000011